(57)【要約】      （修正有）【課題】係合部側の面に装飾を施したファッション性の高い金属製のスナップボタンを提供する。【解決手段】係合部１１を有する金属製のスナップボタン１０であって、係合部側の面に、係合部を除いて、装飾層１を設ける。装飾層は下処理層の上に設けられ、下処理層は、装飾層の範囲を上回るように形成されるのが好ましい。また、装飾層は、紫外線硬化樹脂層を印刷することによって設けられ、下処理層は、樹脂層の下にシランカップリング層を含むのが好ましい。【選択図】図３
0003197227.tif 000002
【実用新案登録請求の範囲】
【請求項１】
係合部（１１、２１）を有する金属製のスナップボタン（１０、２０）であって、
係合部（１１、２１）側の面に、係合部（１１、２１）を除いて、装飾層（１）を設けたことを特徴とするスナップボタン。
【請求項２】
前記装飾層（１）は下処理層（２）の上に設けられる請求項１に記載のスナップボタン。
【請求項３】
前記下処理層（２）は、前記装飾層（１）の範囲を上回るように形成される請求項２に記載のスナップボタン。
【請求項４】
前記下処理層（２）は樹脂層（２ｃ）を含む請求項２又は３に記載のスナップボタン。
【請求項５】
前記スナップボタンは雄スナップボタン（１０）であり、
前記係合部（１１）は雄スナップボタン（１０）の突起部（１１）である請求項１〜４のいずれか１項に記載のスナップボタン。
【請求項６】
前記スナップボタンは雌スナップボタン（２０）であり、
前記係合部（１１）は雌スナップボタン（２０）の突起受け入れ部（２１）である請求項１〜４のいずれか１項に記載のスナップボタン。
【請求項７】
前記装飾層（１）は、紫外線硬化樹脂を印刷することによって設けられる請求項１〜６のいずれか１項に記載のスナップボタン。
【請求項８】
前記下処理層（２）は、前記樹脂層（２ｃ）の下にシランカップリング層（２ｂ）を含む請求項４に記載のスナップボタン。
【請求項９】
前記雄スナップボタンは、前記突起部（１１）を有する雄スナップ本体（１０）と、雄スナップ本体（１０）を生地（ｆ）に取り付けるための止具（３０）とからなり、
前記止具（３０）は、ベース部（３１）と、ベース部（３１）から突出する爪部（３２）とを備え、
前記雄スナップ本体（１０）は、前記突起部（１１）の基端から半径方向外側に延びるフランジ部（１４）を備え、前記フランジ部（１４）には、前記爪部（３２）を受け入れる開口（１５）が形成される請求項５に記載のスナップボタン。
【請求項１０】
前記雌スナップボタンは、前記突起受け入れ部（２１）を有する雌スナップ本体（２０）と、雌スナップ本体（２０）を生地（ｇ）に取り付けるための止具（４０）とからなり、
前記止具（４０）は、ベース部（４１）と、ベース部（４１）から突出する爪部（４２）とを備え、
前記雌スナップ本体（２０）は、前記突起受け入れ部（２１）の基端から半径方向外側に延びるフランジ部（２４）を備え、前記フランジ部（２４）には、前記爪部（４２）を受け入れる開口（２５）が形成される請求項６に記載のスナップボタン。
【考案の詳細な説明】
【技術分野】
【０００１】
本考案は、スナップボタンに関し、更に詳しくは、雄スナップボタン又は雌スナップボタンの相互に係合する側の面に装飾を施した金属製のスナップボタンに関する。
【背景技術】
【０００２】
雄スナップボタンと雌スナップボタンを相互に着脱させるスナップボタンは衣類、鞄類等に広く使用されている。雄スナップボタンと雌スナップボタンの着脱は、雄スナップボタンの係合部である突起部を、雌スナップボタンの係合部である突起受け入れ部に対して係合及び脱係合させることにより行われる。また、金属製のスナップボタンにおいて、表面側に色、模様、ロゴ等を含む装飾が印刷等により施されているものが一般的に知られている。例えば、実開平６−６９２０１号公報には、スナップボタンの係合部とは反対側の外表面に、ワンポイントの装飾を刺繍、シール、印刷等により施す技術が開示されている。これに対し、金属製のスナップボタンにおいて、雄スナップボタンと雌スナップボタン間の係合動作を担う係合部が存在する側の面は、ユーザから見て裏側であるため、また、経時的な着脱動作により剥離等のおそれがあるため、装飾等は施されていないのが現状である。しかしながら、スナップボタンのファッション性を高める観点から、スナップボタンの係合部側の面にも装飾を付与する要請がある。
【先行技術文献】
【特許文献】
【０００３】
【特許文献１】実開平６−６９２０１号公報
【考案の概要】
【考案が解決しようとする課題】
【０００４】
従って、本考案の目的は、係合部側の面に装飾を施した金属製のスナップボタンを提供することである。
【課題を解決するための手段】
【０００５】
本考案によれば、係合部を有する金属製のスナップボタンであって、係合部側の面に、係合部を除いて、装飾層を設けたことを特徴とするスナップボタンが提供される。
【０００６】
本考案において、「係合部」とは、雄スナップボタン及び雌スナップボタンが相互に着脱する際に係合動作を担う部分であり、具体的には、雄スナップボタンの場合はその突起部であり、雌スナップボタンの場合は、雄スナップボタンの突起部と係合及び脱係合する突起受け入れ部である。本考案では、金属製のスナップボタンにおいて、係合部が存在する側の面の係合部以外の部分に装飾層を設ける。これにより、装飾層が係合部の係合動作に伴って損傷、剥離等を受けることなく、スナップボタンのファッション性を高めることができる。
【０００７】
装飾層は、色、模様、文字、記号、これらの組み合わせ等を含む層であり、印刷等により施され得る。
【０００８】
本考案の一実施形態において、前記装飾層は下処理層の上に設けられる。下処理層は、装飾層をなす塗膜の密着度を高めるために設ける層であり、スナップボタンの金属材料の表面に施されるメッキ層やエナメル層を含むことができ、また、メッキ層又はエナメル層上に設けられる樹脂層を含む。
【０００９】
本考案の一実施形態において、前記下処理層は、前記装飾層の範囲を上回るように形成される。下処理層は、例えば、装飾層の範囲から外れる係合部の少なくとも一部に及ぶことができる。下処理層を装飾層よりも広く形成することにより、装飾層の縁からの経時的な剥離等を防ぐことができる。
【００１０】
本考案の一実施形態において、前記下処理層は樹脂層を含む。樹脂層をなす樹脂としては、ウレタン樹脂、アクリル樹脂、シリコン樹脂、フッ素樹脂、エポキシ樹脂、アルキド樹脂等を使用することができるが、ウレタン系樹脂が特に好ましいと考えられる。
【００１１】
本考案の一実施形態において、前記スナップボタンは雄スナップボタンであり、前記係合部は雄スナップボタンの突起部である。この場合、装飾層は、雄スナップボタンの突起部側の面において、突起部を除いて形成される。
【００１２】
本考案の一実施形態において、前記スナップボタンは雌スナップボタンであり、前記係合部は雌スナップボタンの突起受け入れ部である。この場合、装飾層は、雌スナップボタンの突起受け入れ部側の面において、突起受け入れ部を除いて形成される。
【００１３】
本考案の一実施形態において、前記装飾層は、紫外線硬化樹脂を印刷することによって設けられる。紫外線硬化樹脂の印刷は、例えば、インクジェットプリンターを使用して行うことができる。
【００１４】
本考案の一実施形態において、前記下処理層は、前記樹脂層の下にシランカップリング層を含む。シランカップリング層は、樹脂層の接着度を高める役割を果たす。
【００１５】
本考案の一実施形態において、前記雄スナップボタンは、前記突起部を有する雄スナップ本体と、雄スナップ本体を生地に取り付けるための止具とからなり、前記止具は、ベース部と、ベース部から突出する爪部とを備え、前記雄スナップ本体は、前記突起部の基端から半径方向外側に延びるフランジ部を備え、前記フランジ部には、前記爪部を受け入れる開口が形成される。この場合、雄スナップボタンは、雄スナップ本体と止具の２部品から構成される。雄スナップ本体を生地の一方側に取り付ける際、生地の他方側から止具の爪部を生地に貫通させた後、雄スナップ本体の開口からフランジ部内に挿入して、フランジ部の内部空間で爪部を加締めるようにする。なお、本考案では、雄スナップボタンが雄スナップ本体のみから構成され、止具が雄スナップボタンとは別個の部品である場合もある。
【００１６】
本考案の一実施形態において、前記雌スナップボタンは、前記突起受け入れ部を有する雌スナップ本体と、雌スナップ本体を生地に取り付けるための止具とからなり、前記止具は、ベース部と、ベース部から突出する爪部とを備え、前記雌スナップ本体は、前記突起受け入れ部の基端から半径方向外側に延びるフランジ部を備え、前記フランジ部には、前記爪部を受け入れる開口が形成される。この場合、雌スナップボタンは、雌スナップ本体と止具の２部品から構成される。雌スナップ本体を生地の一方の面側に取り付ける際、生地の他方の面側から止具の爪部を生地に貫通させた後、雌スナップ本体の開口からフランジ部内に挿入して、フランジ部の内部空間で爪部を加締めるようにする。なお、本考案では、雌スナップボタンが雌スナップ本体のみから構成され、止具が雌スナップボタンとは別個の部品である場合もある。
【考案の効果】
【００１７】
本考案では、金属製のスナップボタンに対し、係合部が存在する側の面に係合部を除いて装飾層を設けたことにより、スナップボタンのファッション性を高めることができ、また、装飾層は係合部の経時的な係合動作によって損傷、剥離等することはない。
【図面の簡単な説明】
【００１８】
【図１】図１は、本考案の一実施形態に係るスナップボタンである雄スナップボタンの平面図である。
【図２】図２は、図１のＡ−Ａ線矢視断面図である。
【図３】図３は、雄スナップボタンの斜視図である。
【図４】図４は、装飾層及び下処理層を便宜的に示す断面説明図である。
【図５】図５は、本考案の一実施形態に係るスナップボタンである雌スナップボタンの平面図である。
【図６】図６は、図５のＢ−Ｂ線矢視断面図である。
【図７】図７は、雌スナップボタンの斜視図である。
【図８】図８は、雄スナップボタン又は雌スナップボタンを生地に取り付ける際に用いる止具を示す平面図である。
【図９】図９は、図８のＣ−Ｃ線矢視断面図である。
【図１０】図１０は止具の斜視図である。
【図１１】図１１は、雄スナップボタンを生地に取り付けた状態を示す断面説明図である。
【図１２】図１２は、雌スナップボタンを生地に取り付けた状態を示す断面説明図である。
【図１３】図１３は、雄スナップボタンと雌スナップボタンとが連結している状態を示す断面説明図である。
【考案を実施するための形態】
【００１９】
以下、図面を参照しつつ本考案の好適な実施形態を説明するが、本考案はそれらの実施形態に限定されるものではなく、実用新案登録請求の範囲及び均等の範囲内で適宜変更等がなされ得る。図１は、本考案の一実施形態に係るスナップボタンである雄スナップボタン（以下、単に「雄スナップ」ともいう。）１０の平面図である。本考案において、雄スナップは、イ）後述する止具３０を含まない１部品から構成される場合と、ロ）止具３０を含む２部品から構成される場合がある。ロ）の場合、雄スナップ１０は雄スナップ本体１０とも呼ばれる。図２は図１のＡ−Ａ線矢視断面図である。図３は、雄スナップ１０の斜視図である。雄スナップ１０は、一枚の金属製の板を絞り加工等して形成され、中央の係合部としての突起部１１と、突起部１１の基端すなわち下端（以下、雄スナップ１０についての上下は図２の紙面に基づくものとする。）から半径方向外側に延びるフランジ部１４とを備える。突起部１１は、円筒部１２と、円筒部１２の上端側を閉じる上端部１３とを含む。円筒部１２の下端側は開放する。円筒部１２は、フランジ部１４の半径方向内側端から上方へと径が漸次縮小するように断面直線状に傾斜する下端部１２ａと、下端部１２ａの上端から上方へと径が一定にて延びる中間部１２ｂと、中間部１２ｂの上端から上方へと径が半径方向内側に湾曲状に窪む窪み部１２ｃと、窪み部１２ｃから上方に連続して半径方向外側に湾曲状に膨らむ外側膨出部１２ｄとを含む。外側膨出部１２ｄの上端は半径方向内側へと湾曲しつつ上端部１３に繋がる。外側膨出部１２ｄの最大外径は、中間部１２ｂの外径にほぼ等しい。上端部１３は、半径方向外側から内側すなわち中心へと下方にすり鉢状に窪んでいる。
【００２０】
フランジ部１４は、円筒部１２の下端から半径方向外側かつ上方へと断面直線状に延びる傾斜部１４ａと、傾斜部１４ａの半径方向外側端から若干上方に凸となる湾曲状に隆起しつつ半径方向外側へと延びた後、下方へ次いで半径方向内側へと断面Ｃ字状に湾曲されて終端する湾曲外周部１４ｂとを含む。湾曲外周部１４ｂは、突起部１１が存在する表側から見える上方側の外周上部１４ｂａと、表側から見えない裏側すなわち下方側の外周下部１４ｂｂとに区分される。雄スナップ１０の裏側において、外周下部１４ｂｂの半径方向内側端と、傾斜部１４ａとの間には、湾曲外周部１４ｂの内部空間に通じる環状の開口１５が生じる。詳しくは後述するが、図１１に示すように雄スナップ１０を止具３０で生地ｆに取り付ける際、止具３０の爪部３２（図９等参照）が生地ｆを貫通した後、開口１５から湾曲外周部１４ｂの内部空間で加締められる。
【００２１】
上述した雄スナップ１０には、フランジ部１４の表面側、すなわち、傾斜部１４ａの上面と、湾曲外周部１４ｂの外周上部１４ｂａの上面に装飾層１（図１及び３において網掛けで示す。）が設けられている。装飾層１は、色、模様、ロゴ等を含むデザインを呈する層であり、例えばＵＶ硬化樹脂からなる塗膜であり得る。装飾層１は、容易に剥離しないように下処理層２の上に印刷等によって形成される。図４は、装飾層１及び下処理層２を便宜的に示す断面説明図である。下処理層２は、例えば、雄スナップ１０をなす基材（金属材料）の表面上に形成されたメッキ層２ａと、メッキ層２ａの上に形成されたシランカップリング層２ｂと、シランカップリング層２ｂの上に形成された樹脂層２ｃとからなる。メッキ層２ａは、例えば銅−スズメッキ層であり得る。樹脂層２ｃをなす樹脂としては、例えば、ウレタン樹脂、アクリル樹脂、シリコン樹脂、フッ素樹脂、エポキシ樹脂、アルキド樹脂等を使用することができるが、装飾層１の剥離防止の観点からウレタン系樹脂が最も好ましいと考えられる。本実施形態では、一例として樹脂層２ｃとしてウレタン系２液イソシアネート層を用いた。また、メッキ層２ａはエナメル層に置き換えられる場合もあり得る。装飾層１は、下処理層２を形成した後の雄スナップ１０に対しインクジェットプリンターによる印刷によって形成され得る。なお、下処理層２は図１〜３には表していない。
【００２２】
装飾層１は、雄スナップ１０の表側において突起部１１には設けられていない。なお、突起部１１の基端側に装飾層１が多少かかることは許容され得る。突起部１１は、使用において後述する雌スナップボタン２０の係合部である突起受け入れ部２１（図７等参照）と係合動作を行う部分であるため、経時的に装飾層１が剥離するおそれがあるためである。装飾層１が突起部１１に形成されないのに対し、下処理層２は装飾層１の範囲を超えて形成され得る。例えば、メッキ層２ａは、雄スナップ１０の突起部１１や外周下部１４ｂｂの下面を含む雄スナップ１０の外表面全域に設けられ得る。シランカップリング層２ｂと樹脂層２ｃは、装飾層１の範囲をわずかでも上回るように形成することが、装飾層１の縁からの経時的な剥離を防ぐために望ましい。そのため、例えば、シランカップリング層２ｂと樹脂層２ｃは、突起部１１の下端部１２ａの外周面や外周下部１４ｂｂの下面の半径方向外側部分に及ぶように形成され得る。
【００２３】
次に、本考案の一実施形態に係るスナップボタンである雌スナップボタン（以下、単に「雌スナップ」ともいう。）２０について説明する。本考案において、雌スナップは、イ）後述する止具４０を含まない１部品から構成される場合と、ロ）止具４０を含む２部品から構成される場合がある。ロ）の場合、雌スナップ２０は雌スナップ本体２０とも呼ばれる。図５は雌スナップ２０の平面図である。図６は図５のＢ−Ｂ線矢視断面図である。図７は、雌スナップ２０の斜視図である。雌スナップ２０は、一枚の金属製の板を絞り加工等して形成され、中央の係合部としての突起受け入れ部２１と、突起受け入れ部２１の下端（以下、雌スナップ２０についての上下については図６の紙面に基づくものとする。）から半径方向外側に延びるフランジ部２４とを備える。突起受け入れ部２１は、半径方向径がほぼ一定の円筒部２１ａと、円筒部２１ａの上端から半径方向外側、次いで下方、次いで半径方向内外側へと断面Ｃ字状に湾曲する内側膨出部２１ｂとを備える。円筒部２１ａは上下端共に開放し、上端開口２２から雄スナップ１０の突起部１１を円筒部２１ａの内部空間に受け入れる。また、突起受け入れ部２１には周方向等間隔に一例として８つのスリット２３が形成されている。これらのスリット２３は、雌スナップ２０の突起受け入れ部２１に雄スナップ１０の突起部１１を係合及び脱係合する際に、突起受け入れ部２１の半径方向における弾性変形を助長する。
【００２４】
雌スナップ２０のフランジ部２４は、雄スナップ１０のフランジ部１４とほぼ同様に形成さており、円筒部２１ａの下端から半径方向外側に延びる傾斜部２４ａと、傾斜部２４ａから半径方向外側へと延びる湾曲外周部２４ｂとを含み、湾曲外周部２４ｂは、突起受け入れ部２１が存在する表側から見える上方側の外周上部２４ｂａと、表側から見えない裏側すなわち下方側の外周下部２４ｂｂとに区分される。雌スナップ２０の裏側において、外周下部２４ｂｂの半径方向内側端と、傾斜部２４ａとの間には、湾曲外周部２４ｂの内部空間に通じる環状の開口２５が生じる。
【００２５】
雌スナップ２０にも、雄スナップ１０に設けたものと同様の装飾層１（図５及び７において網掛けで示す。）及び下処理層２が形成されている。そのため、装飾層１及び下処理層２については、雄スナップ１０について付した参照番号と同じ参照番号を雌スナップ２０についても用いる。雌スナップ２０において、フランジ部２４の表面側、すなわち、傾斜部２４ａの上面と、湾曲外周部２４ｂの外周上部２４ｂａの上面に装飾層１が設けられている。装飾層１は下処理層２上に形成される。下処理層２は、雌スナップ２０をなす金属材料の表面上に形成されたメッキ層２ａと、メッキ層２ａの上に形成されたシランカップリング層２ｂと、シランカップリング層２ｂの上に形成された樹脂層２ｃとからなる。樹脂層２ｃとしてはウレタン系２液イソシアネート層を用いた。メッキ層２ａは、例えば、雌スナップ２０の突起受け入れ部２１や外周下部２４ｂｂの下面を含む雄スナップ１０の外表面全域に設けられ得る。シランカップリング層２ｂと樹脂層２ｃは、装飾層１の範囲をわずかでも上回るように、例えば、突起受け入れ部２１の円筒部２１ａの外周面の下方部分や外周下部２４ｂｂの下面の半径方向外側部分に及ぶように形成され得る。
【００２６】
図８は、上述した雄スナップ１０を生地ｆに取り付ける際に用いる止具３０を示す平面図である。図９は、図８のＣ−Ｃ線矢視断面図である。図１０は、止具３０の斜視図である。止具３０は、金属製の板を絞り加工等して形成されるもので、円環状のベース部３１と、ベース部３１の半径方向内側から上方（以下、止具３０についての上下については図９の紙面に基づくものとする。）に立ち上がる一例として周方向に６つの爪部３２とを備える。各爪部３２は周方向に沿う幅が上方へと次第に小さくなり、先端３２ａが鋭利となっている。ベース部３１はわずかに下方に凸となるように湾曲している。
【００２７】
図１１は、雄スナップ１０を止具３０で生地ｆに取り付けた状態を示す断面説明図である。雄スナップ１０を生地ｆに取り付けるに当たっては、止具３０の爪部３２を先端３２ａから生地ｆに上方へと貫通させた後、雄スナップ１０の裏側の開口１５から湾曲外周部１４ｂの内部に差し込むようにする。これにより、止具３０の爪部３２が湾曲外周部１４ｂの内面に沿って半径方向外側に加締められ、雄スナップ１０が生地ｆの一方の面側に固定される。この雄スナップ１０の表側の面には、突起部１１を除き装飾層１が現れる。また、生地ｆの他面側には止具３０のべース部３１が円環状に現れる。図１２は、雌スナップ２０を止具４０で生地ｇに取り付けた状態を示す断面説明図である。止具４０は止具３０と同様の部品であり、ベース部４１と、一例として周方向に６つの爪部４２とを備える。雌スナップ２０を生地ｇに取り付ける場合も雄スナップ１０の場合と同様に、生地ｇを貫通させた止具４０の爪部４２を雌スナップ２０の開口２５から湾曲外周部２４ｂの内部に入れて、ここで加締める。これにより、雌スナップ２０が生地ｇの一方の面側に固定され、この雌スナップ２０の表側の面に突起受け入れ部２１を除き装飾層１が現れる。
【００２８】
図１３は、雄スナップ１０と雌スナップ２０とが係合している状態を示す断面説明図であり、雄スナップ１０が下方に、雌スナップ２０が上方に配置されている。この図から分かるように、雄スナップ１０の突起部１１の外側膨出部１２ｄの外径は、雌スナップ２０の突起受け入れ部２１の内側膨出部２１ｂの内径よりもわずかに大きくなるように設定される。雄スナップ１０を雌スナップ２０に連結する場合、雄スナップ１０の突起部１１を雌スナップ２０の突起受け入れ部２１に上端開口２２から図１３紙面上方に差し込むようにする。この際、まず、突起部１１の外側膨出部１２ｄが突起受け入れ部２１の内側膨出部２１ｂに重なり、突起受け入れ部２１の円筒部２１ａを、スリット２３を介して一時的に半径方向に広げる。次いで、外側膨出部１２ｄが内側膨出部２１ｂを過ぎると、円筒部２１ａが半径方向外側に復元し、内側膨出部２１ｂが突起部１１の窪み部１２ｃに当接しつつ外側膨出部１２ｄを円筒部２１ａ内に係止する。これによって雄スナップ１０が雌スナップ２０に連結される。雄スナップ１０と雌スナップ２０の連結を解除する場合は、上述した工程の逆を辿る。
【００２９】
以上の説明では、止具３０、４０を雄スナップボタン１０及び雌スナップボタン２０とは別個の部品として説明したが、本考案では、雄スナップボタン１０及び雌スナップボタン２０が止具３０、４０をそれぞれ含む場合もある。後者の場合、雄スナップボタンは、既述した雄スナップ１０である雄スナップ本体１０と止具３０との２部品から構成され、雌スナップボタンは、既述した雌スナップ２０である雌スナップ本体２０と止具４０との２部品から構成される。
【符号の説明】
【００３０】
１  装飾層
２  下処理層
２ａ  メッキ層
２ｂ  シランカップリング層
２ｃ  樹脂層
１０  雄スナップボタン
１１  突起部（係合部）
１２ｄ  外側膨出部
１４  フランジ部
１４ｂ  湾曲外周部
１５  開口
２０  雌スナップボタン
２１  突起受け入れ部（係合部）
２１ａ  円筒部
２１ｂ  内側膨出部
２４  フランジ部
２４ｂ  湾曲外周部
２５  開口
３０、４０  止具
３１、４１  ベース部
３２、４２  爪部
ｆ、ｇ  生地
【図２】
0003197227.tif 000003
【図４】
0003197227.tif 000004
【図６】
0003197227.tif 000005
【図８】
0003197227.tif 000006
【図９】
0003197227.tif 000007
【図１０】
0003197227.tif 000008
【図１１】
0003197227.tif 000009
【図１２】
0003197227.tif 000010
【図１３】
0003197227.tif 000011
【図１】
0003197227.tif 000012
【図３】
0003197227.tif 000013
【図５】
0003197227.tif 000014
【図７】
0003197227.tif 000015
【手続補正書】
【提出日】平成27年2月24日(2015.2.24)
【手続補正１】
【補正対象書類名】図面
【補正対象項目名】図２
【補正方法】変更
【補正の内容】
【図２】
0003197227.tif 000016
【手続補正２】
【補正対象書類名】図面
【補正対象項目名】図６
【補正方法】変更
【補正の内容】
【図６】
0003197227.tif 000017
【手続補正３】
【補正対象書類名】図面
【補正対象項目名】図１３
【補正方法】変更
【補正の内容】
【図１３】
0003197227.tif 000018